(57)【要約】【課題】　揺動スクロールの重心と駆動用偏心軸中心とを容易に一致させることができるようにする。【解決手段】　スクロール圧縮要素３を構成する揺動スクロール５の軸受ボス部５２を支持フレーム１１の内底面１１ａに摺動自在に臨ませた電動要素２のクランク軸２１の頭部２１ａに連結し、かつ、支持フレーム１１の底面側周側部に揺動スクロール５とクランク軸２１との軸受部位に循環供給される潤滑オイルＯのオイル落し孔１２を開口させる。支持フレーム１１の内底面１１ａとクランク軸２１の頭部２１ａ下面との互いの摺動面に、クランク軸２１の頭部２１ａの回転にて支持フレーム１１の内底面１１ａに滞留する潤滑オイルＯをオイル落し孔１２に向け強制的に排出するオイル強制排出機構を設ける。【選択図】　図１
2004100708.tif 000002
【特許請求の範囲】
【請求項１】
密閉容器内に収納される電動要素とスクロール圧縮要素とを備え、このスクロール圧縮要素は、前記密閉容器内に固定された固定スクロールと、この固定スクロールの下部に支持フレームを介して支持された揺動スクロールとからなり、前記固定スクロールと揺動スクロールとに形成された渦巻き状のラップを互いに噛み合わせて複数の圧縮空間からなる圧縮室を形成するとともに、前記揺動スクロールの軸受ボス部を前記電動要素のクランク軸の頭部に偏心軸受部材を介して連結して、前記揺動スクロールを前記電動要素の駆動による揺動運動により前記固定スクロールに対して公転させて前記圧縮室にてガス媒体を圧縮させてなるスクロール圧縮機において、前記揺動スクロールは、前記軸受ボス部の外側輪郭を偏心させて、その重心位置と駆動用偏心軸中心とを一致させたことを特徴とするスクロール圧縮機。
【請求項２】
　揺動スクロールの軸受ボス部の外側輪郭にリング状の重量体を嵌合させたことを特徴とする請求項２に記載のスクロール圧縮機。
【発明の詳細な説明】
【技術分野】
【０００１】
　この発明は、例えば冷凍や空調あるいは給湯用流体機器等に搭載されるスクロール圧縮機に関するものである。
【背景技術】
【０００２】
　従来、この種のスクロール圧縮機においては、図７に示すように、密閉容器１内に電動要素２とスクロール圧縮要素３とが収納され、このスクロール圧縮要素３は、密閉容器１内の上部に固定される固定スクロール４と、この固定スクロール４に対して電動要素２の駆動により公転する揺動スクロール５とを互いに渦巻き状に形成したラップ４１，５１を噛み合わせて、複数の圧縮空間からなる圧縮室６を形成し、この圧縮室６にて吸入口７から吸入されたガス媒体（冷媒）を圧縮するとともに、この圧縮されたガス媒体を圧縮室６に連通する吐出ポート８から固定スクロール４の上部に形成した吐出ガス空間９に吐出させ、この吐出ガス空間９に吐出させたガス媒体を吐出管１０から吐出させている。
【０００３】
　そして、前記揺動スクロール５は、有底円筒状の支持フレーム１１を介して支持され、その下部中央部に突出させた軸受ボス部５２を支持フレーム１１の内底面１１ａに摺動自在に臨ませた電動要素２のクランク軸２１の頭部２１ａに偏心軸受部材１４を介して連結されているとともに、これらの軸受部位には、密閉容器１の底部に貯溜させた潤滑オイルＯがクランク軸２１の回転によりピックアップされて循環供給されるようになっている一方、図８に示すように、支持フレーム１１の底面側周側部にオイル落し孔１２を設けることによって、支持フレーム１１の内底面１１ａに滞留する潤滑オイルＯを排出するようになっている。
【０００４】
　このようなスクロール圧縮機は、例えば特許文献１に開示されている。
【特許文献１】実願平０１−０２１３４８号（実開平０２−１１４７８６号）のマイクロフィルム
【発明の開示】
【発明が解決しようとする課題】
【０００５】
　しかしながら、このような従来構造のスクロール圧縮機にあっては、スクロール圧縮要素３を構成する揺動スクロール５は、図９及び図１０に示すように、スラスト板５ａ上に渦巻き状のラップ（インボリュート歯）５１を形成する際、スラスト板５ａの中心から渦巻きを開始すると、渦巻きの終了側へ重心Ｇがずれてしまい、このように揺動スクロール５の重心Ｇがスラスト板５ａの中心（駆動用偏心軸中心）Ｐからずれてしまうと、バランス取りの計算が複雑になる。
【０００６】
　そこで、従来では、このような揺動スクロール５の重心Ｇのずれをなくすために、図１０に一点破線にて示すように、揺動スクロール５の重心Ｇの偏った側のスラスト板５ａの外周を削り取ることによって、重心Ｇを中心Ｐに一致するように加工しているものであるが、切削加工作業が面倒で、揺動スクロール５自体が不自然な形状になり易く、しかも、固定スクロール４のラップ４１との噛み合いをも考慮しなければならないために、必然的にスラスト板５ａを削る量にも限界がある。
【０００７】
　また、他の方法としては、スラスト板５ａの中心Ｐとラップ５１の重心が一致するように渦巻きの開始位置をずらすことが考えられるが、これによって、固定スクロール４等に関連する部品も変更する必要がある。
【０００８】
　本発明は上述した問題点に鑑みてなされたもので、揺動スクロールの重心と駆動用偏心軸中心とを容易に一致させることができるようにしたスクロール圧縮機を提供することにある。
【課題を解決するための手段】
【０００９】
　この発明の特徴は、密閉容器内に収納される電動要素とスクロール圧縮要素とを備え、このスクロール圧縮要素は、前記密閉容器内に固定された固定スクロールと、この固定スクロールの下部に支持フレームを介して支持された揺動スクロールとからなり、前記固定スクロールと揺動スクロールとに形成された渦巻き状のラップを互いに噛み合わせて複数の圧縮空間からなる圧縮室を形成するとともに、前記揺動スクロールの軸受ボス部を前記電動要素のクランク軸の頭部に偏心軸受部材を介して連結して、前記揺動スクロールを前記電動要素の駆動による揺動運動により前記固定スクロールに対して公転させて前記圧縮室にてガス媒体を圧縮させてなるスクロール圧縮機において、前記揺動スクロールは、前記軸受ボス部の外側輪郭を偏心させて、その重心位置と駆動用偏心軸中心とを一致させてなる構成としたものである。
【００１０】
　この場合、前記揺動スクロールの軸受ボス部の外側輪郭に偏心リング状の重量体を嵌合させることが好ましい。
【発明の効果】
【００１１】
　請求項１において、揺動スクロールは、軸受ボス部の外側輪郭を偏心させて、その重心位置と駆動用偏心軸中心とを一致させてなるために、従前のように、スラスト板を不自然な形状に削ったり、ラップの渦巻き開始位置をずらしたりすることなく、揺動スクロールの重心と駆動用偏心軸中心とを容易に一致させることができる。
【００１２】
　さらに請求項２において、揺動スクロールの軸受ボス部の外側輪郭にリング状の重量体を嵌合させることにより、バランスの一致が有効に行なえる。
【発明を実施するための最良の形態】
【００１３】
　　以下、この発明の実施例を図１から図６に示す図面に基づいて詳細に説明すると、図７及び図８に示す従来構造と同様に、密閉容器１内に電動要素２とスクロール圧縮要素３とが収納されている。
【実施例１】
【００１４】
　このスクロール圧縮要素３は、前記密閉容器１内の上部に固定される固定スクロール４と、この固定スクロール４に対して電動要素２の駆動により公転する揺動スクロール５とを互いに渦巻き状に形成したラップ４１，５１を噛み合わせて、複数の圧縮空間からなる圧縮室６が形成されている。
【００１５】
　そして、この圧縮室６は、前記電動要素２の駆動による固定スクロール４に対する揺動スクロール５の揺動運動により吸入口７から吸入されたガス媒体（冷媒）を圧縮し、この圧縮されたガス媒体を圧縮室６に連通する吐出ポート８から固定スクロール４の上部に形成した吐出ガス空間９に吐出させ、この吐出ガス空間９に吐出させたガス媒体を吐出管１０から吐出させるようになっている。
【００１６】
　また、前記揺動スクロール５は、有底円筒状の支持フレーム１１を介して支持され、その下部中央部に突出させた軸受ボス部５２を支持フレーム１１の内底面１１ａに摺動自在に臨ませた電動要素２のクランク軸２１の頭部２１ａに偏心軸受部材１４を介して連結されているとともに、これらの軸受部位には、密閉容器１の底部に貯溜させた潤滑オイルＯがクランク軸２１の回転によりピックアップされて循環供給されるようになっている。
【００１７】
　図１及び図２に示すように、前記支持フレーム１１の底面側周側部には、前記揺動スクロール５とクランク軸２１との軸受部位に循環供給される潤滑オイルＯのオイル落し孔１２が開口させてなるとともに、その内底面１１ａには、前記オイル落し孔１２と連通させてオイルガイド溝１３が設けられ、このオイルガイド溝１３は、前記支持フレーム１１の中心部から径方向に延び、かつ、前記クランク軸２１の回転方向Ｘに沿うスパイラル状に形成されている。
【００１８】
　一方、前記クランク軸２１の頭部２１ａの下面には、図３及び図４に示すように、突条部２２が設けられ、この突条部２２は、前記オイルガイド溝１３と同様に、前記クランク軸２１の中心部から径方向に延び、かつ、その回転方向Ｘに沿うスパイラル状に形成されている。
【００１９】
　すなわち、前記支持フレーム１１の内底面１１ａと前記クランク軸２１の頭部２１ａの下面との互いの摺動面には、オイルガイド溝１３と突条部２２とで構成されるオイル強制排出機構が設けられ、このオイル強制排出機構は、前記支持フレーム１１の内底面１１ａとクランク軸２１の頭部２１ａ下面との間に溜った潤滑オイルＯを、前記クランク軸２１の頭部２１ａに設けた突条部２２の回転にて外径方向に押し出してオイルガイド溝１３に沿ってオイル落し孔１２へと導くことにより強制的に排出するようになっているものである。
【００２０】
　また、図５は前記スクロール圧縮要素３を構成する揺動スクロール５を示すもので、この揺動スクロール５は、軸受ボス部５２の外側輪郭５２ａを偏心させることにより、その重心Ｇの位置と駆動用偏心軸中心Ｐとを一致させるようになっていて、これによって、従前のように、スラスト板５ａを不自然な形状に削ったり、ラップ５１の渦巻き開始位置をずらしたりすることなく、重心Ｇと駆動用偏心軸中心Ｐとを容易に一致させてなるものである。
【００２１】
　図６は、前記揺動スクロールの偏心させた軸受ボス部５２の外側輪郭５２ａに比重の重い金属等のリング状の重量体５３を嵌合させてなるもので、これによって、バランスの一致を有効に行なえるようにしてなるものである。
【図面の簡単な説明】
【００２２】
【図１】この発明に係るスクロール圧縮機における支持フレームを拡大して示すの側面図。
【図２】同じく支持フレームの平面図。
【図３】同じくクランク軸の頭部を拡大して示す側面図。
【図４】同じくクランク軸の頭部底面図。
【図５】同じく揺動スクロールを拡大して示す底面図。
【図６】同じく揺動スクロールの軸受ボス部に重量体を嵌合した状態を示す底面図。
【図７】従来のスクロール圧縮機の全体構成を示す概略的断面図。
【図８】同じく従来のスクロール圧縮機における支持フレームとクランク軸の頭部との摺動状態（図７のＡ部）を拡大して示す側面図。
【図９】同じく従来の揺動スクロールを拡大して示す斜視図。
【図１０】同じく従来の揺動スクロールを拡大して示す底面図。
【符号の説明】
【００２３】
　　　　　１・・・密閉容器、
　　　　　２・・・電動要素、
　　　　　２１・・・クランク軸、
　　　　　２１ａ・・・頭部、
　　　　　２２・・・突条部、
　　　　　３・・・スクロール圧縮要素、
　　　　　４・・・固定スクロール、
　　　　　４１・・・ラップ、
　　　　　５・・・揺動スクロール、
　　　　　５ａ・・・スラスト板、
　　　　　５１・・・ラップ、
　　　　　５２・・・軸受ボス部、
　　　　　５２ａ・・・外側輪郭、
　　　　　５３・・・重量体、
　　　　　６・・・圧縮室、
　　　　　１１・・・支持フレーム、
　　　　　１１ａ・・・内底面部、
　　　　　１２・・・オイル落し孔、
　　　　　１３・・・オイルガイド溝、
　　　　　Ｇ・・・重心、
　　　　　Ｐ・・・駆動用偏心軸中心、
　　　　　Ｏ・・・潤滑オイル。
【図１】
2004100708.tif 000003
【図２】
2004100708.tif 000004
【図３】
2004100708.tif 000005
【図４】
2004100708.tif 000006
【図５】
2004100708.tif 000007
【図６】
2004100708.tif 000008
【図７】
2004100708.tif 000009
【図８】
2004100708.tif 000010
【図９】
2004100708.tif 000011
【図１０】
2004100708.tif 000012